(57)【要約】      （修正有）【課題】灯油タンクへの給油をより安全で簡単にするＬＥＤライトを提供する。【解決手段】ＬＥＤライトのライトケース３一面に磁石１を組み込んだことを特徴とする。灯油タンクはほとんどが着脱式で鉄製品なので、磁石で簡単にタンク液面付近に固定でき、両手で給油作業が行えるのでタンクが倒れて灯油をこぼす危険が防止できる。【選択図】図１
0003187398.tif 000002
【実用新案登録請求の範囲】
【請求項１】
磁石をライトの一面に組み込んだミニマグネット式の灯油タンク用のライト。
【請求項２】
ライトと磁石間をフレキシブル帯の構造とした灯油タンク用のライト。
【請求項３】
ライトと磁石間をアーム構造とした灯油タンク用のライト。
【請求項４】
折りたたみや伸縮できる携帯電話のような構成にして灯油タンク上に磁石で固定できるようにした灯油タンク液面表示用のライト。
【請求項５】
車内用の磁石つきミニライトとして販売して灯油タンク用に転用する場合もあるので試作例図１のような横灯型の磁石をつけたミニＬＥＤライト。
【考案の詳細な説明】
【技術分野】
【０００１】  本考案は、給油作業時の液面確認を容易にする技術である。
【背景技術】
【０００２】  従来の灯油タンクへの給油は、明るい場所で灯油ポリタンクから灯油ポンプで着脱で４きる灯油タンクに手動又は電動ポンプで給油し、再び灯油ストーブの収納位置にセットしている。自動停止タイプも発明されている。【０００３】  灯油タンクへの給油方法として各種のポンプが販売されている。
ある程度の灯油ストーブ使用後、灯油タンクの残量を確認して再給油している。
アラームで気付き急いで給油する場合もある。そのため昼間給油することもあれば、夜間に緊急給油する場合もある。しかし夜間や狭い場所などでは大体の感で給油できないわけでもないが、稀に液面の判断を誤ってタンクから溢れそうになる場合もある。
最近は節電の時代になり電気暖房は使用を控える事も多い。
【考案の概要】
【考案が解決しようとする課題】
【０００４】  解決しようとする問題点は、この給油時の液面の効果的な照明方法にある。
夜間は暗いし、寒い時は無理に給油してでも灯油ストーブで暖房したいのだが、突然の時は慌てて作業するので苦労する事がある。
従来型の小型ライトは縦型で全周照明が一般的だが、そのままでは少し眩しいとか、あるいは重量で落下しやすいなどの問題がある。笠をつけるとか、部分的にガードをつける方法もあるが難しいし、すぐ外れたりずれたりする。大きすぎるとか、重すぎるとか明るすぎるとかあるので小型軽量な専用のライトを製作できれば良い。
【課題を解決するための手段】
【０００５】  本考案は、ＬＥＤ電灯は軽く小型化できる点に着目し、その底面などに磁石を組み合わせ、灯油タンクに固定してから給油作業が出来るようにするものである。
また、ライトの構成を従来型に笠やガードを使うとか、横型のライト構成に改める。
縦灯で前面の全周囲３６０度を照らすライトでは笠やガードが必要だが、携帯電話のような構成で横灯なら本体にそのまま笠効果があり、特に笠やガードは必要がない。
（特願２０１２−２５５６４に横型の記述がある。）
本体に軽い引っ掛け部分をつければポリタンクのキャップにかけられる。
【考案の効果】
【０００６】  灯油タンクはほとんどが着脱式で鉄製品なので、磁石で簡単にタンク液面付近に固定でき、両手で給油作業が行えるのでタンクが倒れて灯油をこぼす危険が防止できる。
灯油タンクの液面を効率良く照らすので見やすいし、それだけ照度も少なめで良い。
磁石なのでライトの体積増は少ないし、着脱も簡単にできる。
ガソリンと違い灯油は引火性が低く、ＬＥＤは消費電力が小さい。
【発明を実施すための最良の形態】
【０００７】  ＬＥＤは軽く長寿命であり、軽くて変形容易な被覆アルミ線などと組み合わせて変形できるので状況に応じた利用ができるようにしても良い。
一般的なＬＥＤライトはランタンスタイルやスポットスタイルだが、タンクの液面を効果的に照らすために製作されているのではない。どうしても液面以外も照らすので眩しいなどの現象も起きやすい。元々から液面照明用ではない。
防止するには笠を付けるなどの対策をとればよいが、一般的照明として製作されているので個々に工夫すればよいが、なかなか難しい事が多い。
クリップ式アーム式ヘルメット式折りたたみ携帯電話式伸縮携帯灰皿式などあるが、横灯のデザインが効果的構造になる。縦型一般用でランタン灯やフレキシブル灯がポプュラなように、横型液照用でも同じような傾向がある。ＬＥＤ電球の表現は低消費電球の意味で、フイルムタイプの照明も液面を照らす効果がある。
一般のライトと違い、時々に給油する時に使用するだけなので市販品に磁石を接着して間に合わせる方法もあり、液照用などはまだ早いという考え方がある。
純国産より海外での生産販売も計画すべきかもしれない。ボタン電池が一般的に使用されている。磁石に近い部分に電池を配置したほうが良い。
スイッチはボタンスイッチあるいはスライドスイッチで良い。
ＬＥＤランプ部分を押すと点灯する小型のＬＥＤライトも市販されている。
自動停止タイプの灯油ポンプと併用すると、より効果的になる。
【実施例１】
【０００８】  図１は、本考案装置の一例である。図１のようなミニライトを給油作業の前にスイッチを入れてから、灯油タンクの液面表示部分上の固定しやすい位置にセットしてから給油ポンプで給油する。タンクの上面あるいは横面に固定するのがよい。
タンクへの給油が済んだら、磁石による固定を解除してスイッチを切り保管する。
【実施例２】  図２は、本考案装置の応用例でライト面が上下に動くようにできる、ライト面が伸縮回転できる構造にしてもよい。クリップをつけたり、変形できるアームの先につけたり、伸縮できる本体構造の先につけたり、折りたためる携帯電話のような構成にしても良い。
図１のような単純な製品では物足りない場合に、鏡面を構成したり、デジタル時計を付属したり、動物や乗り物などをデザインにしてもよい。
【産業上の利用の可能性】
【０００９】  本考案は、灯油ストーブの灯油タンクへの給油作業を安全間単にするのが趣旨だが、産業界には様々な液面や場面があるのでクリップの底面に磁石を張り合わせて使える構造にすれば応用性は良いし、鉄製以外のタンク液面の照明も可能になる。
小型で良いので手に持ってミニライトとして使う事もできる。折りたたみ携帯電話構造で磁石付なら、ライト面が保護でき、不使用時にライト面を内蔵保護できる。
ただし携帯電話とは使用目的が異なるので、デザイン構造をタンクライト専用に製作する必要がある。家庭製品と違い鉄機械製品の種類は多いので灯油給油用から利用できるなら応用すれば良い。全周照明タイプと笠ヘルメットタイプのスポット照明が考えられるが用途に合わせることになる。灯油タンクへの給油に限らず、文書や看板の照明などにも転用できる。車内照明の小型ライトとしても使える。ライト裏面を鏡面にするとか、小型デジタル時計を構成してもよい。不要な時はストーブに固定するとか、ライトにつけた軽い紐で灯油ポリタンクのキャップに掛けておけば、次回利用時に探す手間が省けるし、紛失して必要な時になくて困るようなミスを防止できる。
従来技術でよいものもあるが新型小型の強力磁石をさりげなく配置しても良い。
可能性は各種あるだろうが、身近な新製品を利用するうちに何かに気付いたり、必要に応じて改良改造工夫すればよりよい機械ができる。
ないと石油ストーブが使えないというような考案ではないが、あれば便利な時もある。
製品としては懐中電灯がない時の予備ライトに利用できる。
車内灯やデスクパソコン灯にも利用できるし、フルシーズンの販売が可能になる。
灯油タンク液面照明用では冬季だけの商品になる。
請求範囲は実状により変更する場合がある。
【図面の簡単な説明】
【００１０】
【図１】  最も簡単な製作例である。ミニライトと磁石が一体なので、そのまま灯油タンクに固定できる。携帯電話の表示面のような構成なので本体が笠の役割をするので、特に笠をつけなくても液面が見やすい。タンク上面に横に固定する。あるいはタンク横面にミニＬＥＤライトの底面の磁石面を固定する。四角型のデザインだが周辺部に丸みを持たせても良い。ＬＥＤライトは丸型でもよいし、本体の上面に小さなＬＥＤライトを何個か並べる構成にしてもよい・その方が全体を小型にできる。ごく稀に角の多い灯油タンクがあり、そのためには本体の一部に凹状の溝があればよいが通常は支障がない。
【図２】  図１の簡単な応用例である。フレキシブルな板２が上下に動くので、状況に応じた使い方ができる。板状を柱状にすれば上下左右に動かせるようになり、丸い棒状にすればさらに自在に向きが変えられる。本体内部に工夫して伸縮回転できるようにしても良い。図１のライトと違い、タンクの角が出ている場合でも柔軟に対応できる。フレキシブルなライト構成がよいが図面１の簡単な応用例になる。
【符号の説明】
【００１１】    １  ミニＬＥＤライト底部の磁石部分
２  灯油タンクの中にはタンク上面にセットした方が安定するものもあるので、この部分を図２のように可動構造にしても良い。また本体の一部を溝状に少しへこませておけば凹部で一部のタンク角の凸部をさける構造にできる。
３  ライト本体部分で内部に小型電池、スイッチ回路を付属させる。
４  ＬＥＤランプ。丸型でも良い。
５  ライトのスイッチ
【図１】
0003187398.tif 000003
【図２】
0003187398.tif 000004
【手続補正書】
【提出日】平成24年11月20日(2012.11.20)
【手続補正１】
【補正対象書類名】実用新案登録請求の範囲
【補正対象項目名】全文
【補正方法】変更
【補正の内容】
【実用新案登録請求の範囲】
【請求項１】
磁石をライトの一面に組み込んだマグネット式のライト。
【請求項２】
横灯でその底面や側面に磁石を付属した事を特徴とする請求項１に記載の主に灯油給油時に使用するライト。
【請求項３】
ライトと磁石間をアーム構造あるいはフレキシブル体構造としたことを特徴とする請求項１に記載のライト（アーム構造とは重機ユンボのバケットのように変形できる構造体で、フレキシブル体とは上下左右に曲げられる構造体の意味。）
【請求項４】
携帯電話機に類似のケース（型が古くなった携帯電話機のケースを含む。）に請求項１に記載のライトを組み込んだ事を特徴とするライト。
【請求項５】
本体に請求項１に記載のライトを装備した事を特徴とする携帯電話機。
【請求項６】
請求項１に記載のライトを装備した事を特徴とするデジタル時計やタイマー。
【手続補正２】
【補正対象書類名】明細書
【補正対象項目名】全文
【補正方法】変更
【補正の内容】
【考案の詳細な説明】
【技術分野】
【０００１】  本考案は給油作業時の液面確認を容易にする技術である。
【背景技術】
【０００２】  従来の灯油タンクへの給油は、明るい場所で灯油ポリタンクから灯油ポンプで着脱できる灯油タンクに手動又は電動ポンプで給油し、再び灯油ストーブの収納位置にセットしている。自動停止タイプも発明されている。【０００３】  灯油タンクへの給油方法として各種のポンプが販売されている。
ある程度の灯油ストーブ使用後、灯油タンクの残量を確認して再給油している。
アラームで気付き急いで給油する場合もある。そのため昼間給油することもあれば、夜間に緊急給油する場合もある。しかし夜間や狭い場所などでは大体の感で給油できないわけでもないが、稀に液面の判断を誤ってタンクから溢れそうになる場合もある。
最近は節電の時代になり電気暖房は使用を控える事も多い。
【考案の概要】
【考案が解決しようとする課題】
【０００４】  解決しようとする問題点は、この給油時の液面の効果的な照明方法にある。
夜間は暗いし、寒い時は無理に給油してでも灯油ストーブで暖房したいのだが、突然の時は慌てて作業するので苦労する事がある。
従来型の小型ライトは縦型で全周照明が一般的だが、そのままでは少し眩しいとか、あるいは重量で落下しやすいなどの問題がある。笠をつけるとか、部分的にガードをつける方法もあるが難しいし、すぐ外れたりずれたりする。大きすぎるとか、重すぎるとか明るすぎるとかあるので小型軽量な専用のライトを製作できれば良い。
【課題を解決するための手段】
【０００５】  本考案は、ＬＥＤ電灯は軽く小型化できる点に着目し、その底面などに磁石を組み合わせ、灯油タンクに固定してから給油作業が出来るようにするものである。
また、ライトの構成を従来型に笠やガードを使うとか、横型のライト構成に改める。縦灯で前面の全周囲３６０度を照らすライトでは笠やガードが必要だが、携帯電話のような構成で横灯なら本体にそのまま笠効果があり、特に笠やガードは必要がない。（特願２０１２−２５５６４に横型の記述がある。）
本体に軽い引っ掛け部分をつければポリタンクのキャップにかけられる。
【考案の効果】
【０００６】  灯油タンクはほとんどが着脱式で鉄製品なので、磁石で簡単にタンク液面付近に固定でき、両手で給油作業が行えるのでタンクが倒れて灯油をこぼす危険が防止できる。灯油タンクの液面を効率良く照らすので見やすいし、それだけ照度も少なめで良い。磁石なのでライトの体積増は少ないし、着脱も簡単にできる。
ガソリンと違い灯油は引火性が低く、ＬＥＤは消費電力が小さい。
【発明を実施すための最良の形態】
【０００７】  ＬＥＤは軽く長寿命であり、軽くて変形容易な被覆アルミ線などと組み合わせて変形できるので状況に応じた利用ができるようにしても良い。
一般的なＬＥＤライトはランタンスタイルやスポットスタイルだが、タンクの液面を効果的に照らすために製作されているのではない。どうしても液面以外も照らすので眩しいなどの現象も起きやすい。元々から液面照明用ではない。
防止するには笠を付けるなどの対策をとればよいが、一般的照明として製作されているので個々に工夫すればよいが、なかなか難しい事が多い。
クリップ式アーム式ヘルメット式折りたたみ携帯電話式伸縮携帯灰皿式などあるが、横灯のデザインが効果的構造になる。縦型一般用でランタン灯やフレキシブル灯がポプュラなように、横型液照用でも同じような傾向がある。ＬＥＤ電球の表現は低消費電球の意味で、フイルムタイプの照明も液面を照らす効果がある。
一般のライトと違い、時々に給油する時に使用するだけなので市販品に磁石を接着して間に合わせる方法もあり、液照用などはまだ早いという考え方がある。
純国産より海外での生産販売も計画すべきかもしれない。ボタン電池が一般的に使用されている。磁石に近い部分に電池を配置したほうが良い。
スイッチはボタンスイッチあるいはスライドスイッチで良い。
ＬＥＤランプ部分を押すと点灯する小型のＬＥＤライトも市販されている。
自動停止タイプの灯油ポンプと併用すると、より効果的になる。
クリップ式とはライトに付けたクリップ部分で挟んで固定する方法である。
アーム式とは重機ユンボのバケットのように変形できる構造の意味である。
ヘルメット式とはランプ発光部を丸いカバーで覆い横灯の効果を出す。
携帯電話式は構造的に横灯になっている。
灯油タンクの上に載せるとタンクの液面表示部を照らしてくれる。
しかし携帯電話機のライトはすぐ消灯するし壊れても困る。
ＬＥＤランプも小型で明るいので装備できればよい。
伸縮灰皿式は市販されているので代用になる場合がある。
横灯とは一方向ライトと説明することがある。
フイルムタイプとは携帯の液晶ライトなどの意味である。
【実施例１】
【０００８】  図１は、本考案装置の一例である。図１のようなミニライトを給油作業の前にスイッチを入れてから、灯油タンクの液面表示部分上の固定しやすい位置にセットしてから給油ポンプで給油する。タンクの上面あるいは横面に固定するのがよい。タンクへの給油が済んだら、磁石の固定を解除してスイッチを切り保管する。
【実施例２】
【０００９】  図２は、本考案装置の応用例でライト面が上下に動くようにできる、ライト面が伸縮回転できる構造にしてもよい。クリップをつけたり、変形できるアームの先につけたり、伸縮できる本体構造の先につけたり、折りたためる携帯電話のような構成にしても良い。
図１のような単純な製品では物足りない場合に、鏡面を構成したり、デジタル時計を付属したり、動物や乗り物などをデザインにしてもよい。
【産業上の利用の可能性】
【００１０】  本考案は、灯油ストーブの灯油タンクへの給油作業を安全間単にするのが趣旨だが、産業界には様々な液面や場面があるのでクリップの底面に磁石を張り合わせて使える構造にすれば応用性は良いし、鉄製以外のタンク液面の照明も可能になる。小型で良いので手に持ってミニライトとして使う事もできる。折りたたみ携帯電話構造で磁石付なら、ライト面が保護でき、不使用時にライト面を内蔵保護できる。ただし携帯電話とは使用目的が異なるので、デザイン構造をタンクライト専用に製作する必要がある。家庭製品と違い鉄機械製品の種類は多いので灯油給油用から利用できるなら応用すれば良い。全周照明タイプと笠ヘルメットタイプのスポット照明が考えられるが用途に合わせることになる。灯油タンクへの給油に限らず、文書や看板の照明などにも転用できる。車内照明の小型ライトとしても使える。ライト裏面を鏡面にするとか、小型デジタル時計を構成してもよい。不要な時はストーブに固定するとか、ライトにつけた軽い紐で灯油ポリタンクのキャップに掛けておけば、次回利用時に探す手間が省けるし、紛失して必要な時になくて困るようなミスを防止できる。
従来技術でよいものもあるが新型小型の強力磁石をさりげなく配置しても良い。
可能性は各種あるだろうが、身近な新製品を利用するうちに何かに気付いたり、必要に応じて改良改造工夫すればよりよい機械ができる。
ないと石油ストーブが使えないというような考案ではないが、あれば便利な時もある。製品としては懐中電灯がない時の予備ライトに利用できる。
車内灯やデスクパソコン灯にも利用できるし、フルシーズンの販売が可能になる。
灯油タンク液面照明用では冬季だけの商品になる。
請求範囲は実状により変更する場合がある。
【図面の簡単な説明】
【００１１】
【図１】最も簡単な製作例である。ミニライトと磁石が一体なので、そのまま灯油タンクに固定できる。携帯電話の表示面のような構成なので本体が笠の役割をするので、特に笠をつけなくても液面が見やすい。タンク上面に横に固定する。あるいはタンク横面にミニＬＥＤライトの底面の磁石面を固定する。四角型のデザインだが周辺部に丸みを持たせても良い。ＬＥＤライトは丸型でもよいし、本体の上面に小さなＬＥＤライトを何個か並べる構成にしてもよい・その方が全体を小型にできる。ごく稀に角の多い灯油タンクがあり、そのためには本体の一部に凹状の溝があればよいが通常は支障がない。
【図２】図１の簡単な応用例である。フレキシブルな板２が上下に動くので、状況に応じた使い方ができる。板状を柱状にすれば上下左右に動かせるようになり、丸い棒状にすればさらに自在に向きが変えられる。本体内部に工夫して伸縮回転できるようにしても良い。図１のライトと違い、タンクの角が出ている場合でも柔軟に対応できる。フレキシブルなライト構成がよいが図面１の簡単な応用例になる。
【図３】灯油タンクに直接固定できるタイプの試作品である。
【図４】ポリタンクに鉄板を構成して固定した試作品である。
【符号の説明】
【００１２】１  ミニＬＥＤライト底部の磁石部分
２  灯油タンクの中にはタンク上面にセットした方が安定するものもあるので、この部分を図２のように可動構造にしても良い。また本体の一部を溝状に少しへこませておけば凹部で一部のタンク角の凸部をさける構造にできる。
３  ライト本体部分で内部に小型電池、スイッチ回路を付属させる。
４  ＬＥＤランプ。丸型でも良い。
５  ライトのスイッチ
【手続補正３】
【補正対象書類名】図面
【補正対象項目名】全図
【補正方法】変更
【補正の内容】
【図１】
0003187398.tif 000005
【図２】
0003187398.tif 000006
【図３】
0003187398.tif 000007
【図４】
0003187398.tif 000008
【手続補正書】
【提出日】平成25年3月4日(2013.3.4)
【手続補正１】
【補正対象書類名】実用新案登録請求の範囲
【補正対象項目名】全文
【補正方法】変更
【補正の内容】
【実用新案登録請求の範囲】
【請求項１】
磁石をライトのケースの一面に組み込んだＬＥＤのライト。
【請求項２】
ライトと磁石間をフレキシブル体の構造としたことを特徴とする請求項１に記載のライト。
【請求項３】
ライトと磁石間をアーム構造としたことを特徴とする請求項１に記載のライト。
【請求項４】
折りたたみや伸縮できる携帯電話機のような構造としたことを特徴とする請求項１に記載のライト。
【請求項５】
携帯電話機の一部に鉄面や溝や穴などのガイドを構成して、対のマグネットや溝や穴などで着脱固定できる構造にした請求項１に記載のライト。
【請求項６】
デジタル時計やタイマー機器のケースの一面に構成したことを特徴とする請求項１に記載のライト。
【請求項７】
防水防油構造の透明ケースに構成して灯油タンク内に投入できる構造としたことを特徴とする請求項１に記載のライト。
【請求項８】
飾り鏡の鏡面などの半分または外周または裏面に鉄面を構成し、請求項１のライトが固定できるようにした飾り鏡や額縁などの工芸品や漆器製品
【請求項９】
ＴＶなどのリモコン送信機に照明用ＬＥＤランプを組み込み、あるいはシール鉄板やガイドなどで請求項１記載のライトをマグネットなどで固定できるようにしてライトの電源はライト内蔵電池あるいはリモコン送信機の電池から供給できるように構成した請求項１記載のライト付きのリモコン送信機。
【請求項１０】
内蔵電池によりあるいは抜き差しできる電池により請求項１記載のＬＥＤライトを着脱固定できる機能を備え点灯できるように構成した携帯電話機。
【手続補正２】
【補正対象書類名】明細書
【補正対象項目名】全文
【補正方法】変更
【補正の内容】
【考案の詳細な説明】
【技術分野】
【０００１】本考案は給油作業時の液面確認を容易にする技術である。
その基本考案だがそのまま各種の機器や特殊用途に応用できる。
【背景技術】
【０００２】  従来の灯油タンクへの給油は、明るい場所で灯油ポリタンクから灯油ポンプで着脱できる灯油タンクに手動又は電動ポンプで給油し、再び灯油ストーブの収納位置にセットしている。自動停止タイプも発明されている。【０００３】  灯油タンクへの給油方法として各種のポンプが販売されている。
ある程度の灯油ストーブ使用後、灯油タンクの残量を確認して再給油している。
アラームで気付き急いで給油する場合もある。そのため昼間給油することもあれば、夜間に緊急給油する場合もある。しかし夜間や狭い場所などでは大体の感で給油できないわけでもないが、稀に液面の判断を誤ってタンクから溢れそうになる場合もある。最近は節電の時代になり電気暖房は使用を控える事も多い。
【考案の概要】
【考案が解決しようとする課題】
【０００４】  解決しようとする問題点は、この給油時の液面の効果的な照明方法にある。
夜間は暗いし、寒い時は無理に給油してでも灯油ストーブで暖房したいのだが、突然の時は慌てて作業するので苦労する事がある。
従来型の小型ライトは縦型で全周照明が一般的だが、そのままでは少し眩しいとか、あるいは重量で落下しやすいなどの問題がある。笠をつけるとか、部分的にガードをつける方法もあるが難しいし、すぐ外れたりずれたりする。大きすぎるとか、重すぎるとか明るすぎるとかあるので小型軽量な専用のライトを製作できれば良い。
【課題を解決するための手段】
【０００５】  本考案は、ＬＥＤ電灯は軽く小型化できる点に着目し、その底面などに磁石を組み合わせ、灯油タンクに固定してから給油作業が出来るようにするものである。
また、ライトの構成を従来型に笠やガードを使うとか、横型のライト構成に改める。縦灯で前面の全周囲３６０度を照らすライトでは笠やガードが必要だが、
携帯電話のような構成で横灯なら本体にそのまま笠効果があり、特に笠やガードは必要がない。（特願２０１２−２５５６４に横型の記述がある。）
本体に軽い引っ掛け部分をつければポリタンクのキャップにかけられる。
【考案の効果】
【０００６】  灯油タンクはほとんどが着脱式で鉄製品なので、磁石で簡単にタンク液面付近に固定でき、両手で給油作業が行えるのでタンクが倒れて灯油をこぼす危険が防止できる。灯油タンクの液面を効率良く照らすので見やすいし、それだけ照度も少なめで良い。磁石なのでライトの体積増は少ないし、着脱も簡単にできる。
ガソリンと違い灯油は引火性が低く、ＬＥＤは消費電力が小さい。
【発明を実施すための最良の形態】
【０００７】  ＬＥＤは軽く長寿命であり、軽くて変形容易な被覆アルミ線などと組み合わせて変形できるので状況に応じた利用ができるようにしても良い。
一般的なＬＥＤライトはランタンスタイルやスポットスタイルだが、タンクの液面を効果的に照らすために製作されているのではない。どうしても液面以外も照らすので眩しいなどの現象も起きやすい。元々から液面照明用ではない。
防止するには笠を付けるなどの対策をとればよいが、一般的照明として製作されているので個々に工夫すればよいが、なかなか難しい事が多い。
クリップ式アーム式ヘルメット式折りたたみ携帯電話式伸縮携帯灰皿式などあるが、横灯のデザインが効果的構造になる。縦型一般用でランタン灯やフレキシブル灯がポプュラなように、横型液照用でも同じような傾向がある。ＬＥＤ電球の表現は低消費電球の意味で、フイルムタイプの照明も液面を照らす効果がある。
一般のライトと違い、時々に給油する時に使用するだけなので市販品に磁石を接着して間に合わせる方法もあり、液照用などはまだ早いという考え方がある。
ボタン電池が一般的に使用されている。磁石に近い部分に電池を配置したほうが良い。スイッチはボタンスイッチあるいはスライドスイッチで良い。
ＬＥＤランプ部分を押すと点灯する小型のＬＥＤライトも市販されている。
自動停止タイプの灯油ポンプと併用すると、より効果的になる。
クリップ式とはライトに付けたクリップ部分で挟んで固定する方法である。
アーム式とは重機ユンボのバケットのように変形できる構造の意味である。
ヘルメット式とはランプ発光部を丸いカバーで覆い横灯の効果を出す。
携帯電話式は構造的に横灯になっている。
灯油タンクの上に載せるとタンクの液面表示部を照らしてくれる。
しかし携帯電話機のライトはすぐ消灯するし壊れても困る。
ＬＥＤランプも小型で明るいので装備できればよい。
伸縮灰皿式は市販されているが構造的にはライトを組み込むスペースがある。
横灯とは一方向ライトと説明することがある。
フイルムタイプとは携帯の液晶ライトなどの意味である。
【実施例１】
【０００８】  図１は、本考案装置の一例である。図１のような小型ライトを給油作業の前にスイッチを入れてから、灯油タンクの液面表示部分上の固定しやすい位置にセットしてから給油ポンプで給油する。タンクの上面あるいは横面に固定するのがよい。タンクへの給油が済んだら、磁石の固定を解除してスイッチを切り保管する。
【実施例２】
【０００９】  図２は、本考案装置の応用例でライト面が上下に動くようにできる、ライト面が伸縮回転できる構造にしてもよい。クリップをつけたり、変形できるアームの先につけたり、伸縮できる本体構造の先につけたり、折りたためる携帯電話のような構成にしても良いし、笠を出せるようにしてもよい。
【実施例３】
【００１０】  図３は、試作品のＬＥＤライトを灯油タンク液面表示部付近に固定してスイッチを入れ、点灯している時の図面である。この状態で灯油ポリタンクから灯油ポンプで給油するとタンクが灯油である程度満たされると液面表示部の色が変化するのでそろそろ満タンになる事が目視で確認できる。磁石は一方向性のシール磁石を使ったが２個なら単３電池２本でも固定できる。強力な平型磁石もあるので使用すれば厚みはなくなり磁石のある事がわからなくなるし、取り付けもソフトになる。リチウムボタン電池は薄型があり１個で３ボルトタイプなら電池２本分のスペースを小さくできる。空いたスペースに化粧品などを収納できる。
【実施例４】
【００１１】  図４は、ＬＥＤライト試作品の例である。電線内蔵済みの薄型タイプなどもあるが試作品なので図面にはのせていない。四角タイプは灯油タンクの構造に対応できない場合もあるが安定性が良いので化粧用やアクセサリに利用できる。折曲がるタイプは最適だが試作が済んでいない。専用ケースがあれば量産できる。
【実施例５】
【００１２】  図５は、携帯電話機タイプは構成が適切で使いやすいと記述しているがその試作品の例を示している。旧型の携帯電話機のアンテナ部分にＬＥＤランプを組んだタイプと、携帯電話機の液晶面の上にＬＥＤランプを組み込んだタイプを示している。通常の携帯電話機と比較するとはるかに明るく点灯する。
右は単３乾電池２個を電池ボックスに収納したタイプだがボタン電池１個でも明るく点灯する省エネ省スペースライトになる。携帯電話機の本体に構成しているが、本体背面などの一部に鉄面を構成する、あるいは着脱用のガイドを構成すれば必要な場合に付属品として超小型ＬＥＤライト装備の携帯電話機にできる。
鉄面もライト専用ならマグネット面対応の４点ほどでもよく本体液晶面上の固定も可能になる。電源を本体から供給できるようにすれば、より小型化できる。
全ての携帯電話機ではなく特定の機種で、増設型の小型スピーカのように小型ライトを差し込んで固定あるいは電源供給する方法も考えられる。
携帯電話機のヘッド部分に押し込むか磁石で固定する事もできる。
破損しやすい特性もあるのでマグネット方式は無理がない。
ベルトで固定するとか、電池ケースを入れると点灯する方法もある。
実施例で示したようなアンテナ部分のような構成にして着脱固定するのは安全確実な方法になる。また電池ケースのようなＬＥＤライトを必要に応じてマグネットの力で固定して利用する方法もあるので機種により適不適がある。
【実施例６】
【００１３】  図６は、灯油ポリタンクに鉄面を構成して考案のマグネットＬＥＤライトが固定できるようにした試作品例である。鉄面の構成方法には両面テープで薄い鉄板を固定する方法やマジックテープで固定する方法がある。また飾り鏡の裏面に鉄面を構成しておき灯油給油時に鉄面を表にしてポリタンクのキャップに掛ければ鉄面が構成できる。着脱が容易なので給油が済んだら鏡として使える。
鉄面とマグネットの場合はその位置や角度は変更できるので、状況に応じた固定をすればライトの照らす面を調整できる。
冬季はポリタンクに掛けて、鉄面にマグネット収納ボックスを固定すれば作業用の手袋などを収納しておくことができる。
【実施例７】
【００１４】  図７は、鏡や額縁や工芸品の裏面に鉄面を構成している試作例である。ポリタンクに鉄面を構成する方法として飾り鏡や額縁の裏面などを活用する方法がある。鏡面の半分に鉄面を構成したり、鏡の周囲を鉄面にする方法もある。
重量はそれほど変わらないが鉄面なので各種のマグネット製品が使える。
漆器製品で飾りを施した製品があるが、この応用でさりげなく鉄面を構成すれば磁石付きのＬＥＤライトなどのマグネット製品が活用できる場合がある。
例えば各種のマグネット式のクリップやタイマーや時計や温度計や収納ボックスなどが利用できる。図７では普通クリップとアーム型のマグネットク式クリップを鉄面に固定している。アームクリップの先にＬＥＤライトを挟んで固定して点灯しているが、メモ用紙などを固定することもできる。。
【実施例８】
【００１５】  図８はＭＭライトをミニマグネットライトからミラーマグネットライトにする試作例である。鏡面の周囲に構成した鉄面に、基礎にマグネットを付属した角度調整できるミラー２台を中央鏡面の両側に固定すると三面鏡になる。
その開角度や固定位置が自由に変更できるので左右が固定された三面鏡に比較して調整範囲が広い。また三面鏡として使用しない時はマグネット式のミラーを鉄面から外せば鉄面付きの普通の鏡になる。
また鉄面は通常のマグネット製品の固定面になるので、状況に合わせて利用できるのでマグネット付きの収納ボックスなども固定できる。
フルタイム三面鏡と比べてスペースが少ないし、必要な時だけ三面鏡にして利用できるし、単独のマグネットミラーとしても利用できる。
磁力の強いマグネットが開発されているので、重量に応じた固定力のあるマグネット磁石を使い固定位置に工夫すれば不可能も可能になる。
鏡の台部や上面にマグネットを付属した商品は市販されていないようだが、冷蔵庫や電子レンジの鉄面などにも固定できるので検討できる課題になる。
磁力の強いマグネットが開発されたので期待できる商品である。
ＬＥＤライトはシングルタイプのライトを磁石で固定してもよいが、あらかじめ本体ミラーにＬＥＤライトを内蔵する構造にしたり、ボックス構造にして内部空間を予備電池などの収納スペースに活用しても良い。鉄面を利用して外部にも冷蔵庫などに使う収納ボックスを固定して化粧品の保管などに利用できる。
灯油用のＬＥＤライトを固定したり、ＬＥＤランプを複数並べても良い。
豪華な調度品として製作することもできるので、付属品やマグネットミラーの収納箱を備える構造にすれば高機能な家具になる。
ＴＶなどにも応用できるので、メモ帳やカレンダーや収納ボックスを固定したり、小型の磁石付きのＬＥＤライトなども固定できるようになる。
あるから固定するではなく、固定することもできる製品になる。
【産業上の利用の可能性】
【００１６】  本考案は、灯油ストーブの灯油タンクへの給油作業を安全間単にするのが趣旨だが、産業界には様々な液面や場面があるのでクリップの底面に磁石を張り合わせて使える構造にすれば応用性は良いし、鉄製以外のタンク液面の照明も可能になる。小型で良いので手に持って小型ライトとして使う事もできる。折りたたみ携帯電話構造で磁石付なら、ライト面が保護でき、不使用時にライト面を内蔵保護できる。ただし携帯電話とは使用目的が異なるので、デザイン構造をタンクライト専用に製作する必要がある。折りたたみ携帯電話機のような機能はライト単体には必要がないので似たような専用ケースのライトなら必要に応じてマグネット面を鉄面に固定してからライト面を上下に変えて液面表示部を照らすことができるし小型可動ライトになる。家庭製品と違い鉄機械製品の種類は多いので灯油給油用から利用できるなら応用すれば良い。全周照明タイプと笠ヘルメットタイプのスポット照明が考えられるが用途に合わせることになる。灯油タンクへの給油に限らず、文書や看板の照明などにも転用できる。車内照明の小型ライトとしても使える。ライト裏面を鏡面にするとか、小型デジタル時計を構成してもよい。不要な時はストーブに固定するとか、ライトにつけた軽い紐で灯油ポリタンクのキャップに掛けておけば、次回利用時に探す手間が省けるし、紛失して必要な時になくて困るようなミスを防止できる。笠を付属開放できるように構成できる。
従来技術でよいものもあるが新型小型の強力磁石をさりげなく配置しても良い。
可能性は各種あるだろうが、身近な新製品を利用するうちに何かに気付いたり、必要に応じて改良改造工夫すればよりよい機械ができる。
ないと石油ストーブが使えないというような考案ではないが、あれば便利な時もある。製品としては懐中電灯がない時の予備ライトに利用できる。
車内灯やデスクパソコン灯にも利用できるし、フルシーズンの販売が可能になる。
灯油タンク液面照明用では冬季だけの商品になる。
【００１６−】
このＬＥＤライトは磁石なしでもその一方向特性を活かせる場合も多くある。
たとえば化粧する時はあまり照度の強いライトより一球でも明るい特性があるＬＥＤライトは使いやすいし、省エネにもなり携帯時の負担にならない。
利用の可能性としては、このＬＥＤライトを透明の超小型の防水棒油構造で製作して、その電源やスイッチはケーブルを利用する構成が考えられる。防水棒油の適度な重量の透明ケース内にＬＥＤランプを組み込んでリモートケーブルを伸ばす。
ケーブルの先に電池やスイッチのコントロールボックスを付属させる。
灯油タンクの蓋をとり、このＬＥＤライトを灯油タンク内の液面表示窓の上まで入れる。シールしたマグネットで給油口に固定しても良い。コントロールボックスのライトスイッチを入りにするとライトは点灯する。
この状態で灯油ポンプをセットして給油すると、液面表示部が内部からの光で明るくなり液面が確認できる。給油後はタンク内からライトを引き上げる。
給油口から２センチ程度のタンク上面でも液面照明の効果はあるし、給油ポンプは深く入れるので液濡れは少ないが給油後は布で拭いて保管すればよい。
灯油で防油ＬＥＤなので静電気や点灯時電流で発火することはないと思われる。
商品としては透明ケースの構造やコントロールボックスには配慮がいる。
携帯電話機でもライト付きならごく稀にある必要時に点灯して使えるが、スペースに余裕がないので専用アクセサリとして超小型ライトをペアで製作すれば、非常時などに固定すればライト付き携帯電話機としてそのまま使える。
携帯電話機は弱いレベルの一時的照明力を持っているが、機種が多く随時に新機種がでるがカメラ利用時のライトでは普通のライトのような利用が難しい。
付属品として購入増設できるように規格を統一できればよいが、その細かな技術や規格はメーカーの決める事案なので言及できない。
ＬＥＤランプは３ボルトのボタン電池１個でも点灯できるので、携帯電話機に内蔵の充電式電池からでも電子回路的に調整すれば点灯できる。
ＬＥＤランプだけあらかじめ内蔵した構造にして、ボタン電池ケースをＳＤカードのように挿入すると点灯するように構成してもよいし、スイッチ不用になる。
電池不要でＬＥＤランプとスイッチが最小構成になるので小型化できる。
不要なら外して保管でき、必要な時にセットして利用できる。ボタン電池内蔵の小型ＬＥＤライトも製作できる。ネオジム磁石で固定してもよいし、小さなガイドや溝があると固定状態もよくなる。携帯電話機の裏面などに一部鉄面を構成しておく方法もあるので各種の付属品開発が期待できる。子供や老人には便利かも知れない。
各種の製品に小型ＬＥＤライトを付属できると当初から述べているが、鏡につければ明るいし、飾りにつければアクセサリになる。
ＴＶなどのリモコン送信機はリモコン信号を出すがＬＥＤライトは付属していない。
電池電圧は３ボルトなので３ボルトタイプのＬＥＤライトが応用できる。
普段はリモコン送信機だが停電の時や暗い場所ではＬＥＤライトになる。
マグネットを付属したＬＥＤリモコン送信機で製作してもよい。
小型カメラやアラーム機構やメモ機能なども付属できるし、全メーカー対応のリモコン送信機に順次付属させる方法もある。増設タイプも検討できる。
設計図さえできれば、リモコン送信機を量産する費用より多少割高になるが，すぐ量産体制が構築できる。大きさ重さはほとんど変わらない両用送信機になる。
空いているスペースにＬＥＤランプとスイッチを組み込み、配線すればよい。
ミラーマグネットタイプは薄い鉄面を付加するだけで応用範囲が一段と拡大することを示している。薄くて軽い強力なネオジム磁石や平型磁石が開発されたので従来にないようなマグネット応用分野ができ、スペースが有効活用できる。
どこまで先願になるか不明だが商品価値はあるように思われる。
実施例５以降は出願分割することも想定しながら本考案の補助説明に加えた。
灯油給油用のマグネットライトの需要については評価が未定だが、その関連商品も各種が開発されるので全く無価値な研究テーマではないと思います。
灯油等の補給時の液面確認には他にも方法や対策があるようにも思われるが、本補正書での新たな提案は文書が長くなるので控えました。
マグネットを応用した他の安全装置などのテーマは幾つかあるが、本補正書のマグネット付きライトの説明やその構成例や応用例の説明とは無関係なので、今回は省略しました。図３以降は参考でのせ、請求項の余分な説明は省略しました。
【図面の簡単な説明】
【００１７】
【図１】  最も簡単な製作例である。ミニライトと磁石が一体なので、そのまま灯油タンクに固定できる。タンク上面に横に固定する。あるいはタンク横面にＬＥＤライトの底面の磁石面を固定する。四角型のデザインだが周辺部に丸みを持たせても良い。
【図２】  図１の簡単な応用例である。フレキシブルな板２が上下に動くので、状況に応じた使い方ができる。図面１の簡単な応用例になる。
【図３】  灯油タンクに直接固定できるタイプの試作品である。電線を内蔵した薄型タイプも試作できている。マグネットを平型磁石で製作する事もでき、安定性が良くなる。
【図４】  マグネットＬＥＤライトの試作品の例である。平型磁石やネオジム磁石を使っても製作できる。
【図５】  携帯電話機タイプの試作例である。一台は旧タイプのアンテナ携帯電話機のアンテナ部分を使った。一台は液晶面の上部に組み込んだものを示した。
【図６】  ポリタンクに構成した鉄面にマグネットＬＥＤライトを固定した場合の構成例を示している。収納ボックスも固定している。
【図７】  普通の鏡の周囲や裏面、額縁や工芸品などの周囲や裏面に鉄面を構成する方法があり、その裏面を鉄面に構成した試作例である。マグネットクリップやアーム式のマグネットクリップを固定した試作品になっている。ＬＥＤライトを位置を変えて固定できる。
【図８】  ＬＥＤライト付の周囲鉄面の鏡台に２台の小型マグネット付きの可動鏡を固定した試作例である。鉄面に灯油用ＬＥＤライトを固定して利用する事もできるし、ＬＥＤランプを周囲に複数並べることもできる。
【符号の説明】
【００１８】１  ミニＬＥＤライト底部の磁石部分
２  灯油タンクの中にはタンク上面にセットした方が安定するものもあるので、この部分を図２のように可動構造にしても良い。また本体の一部を溝状に少しへこませておけば凹部で一部のタンク角の凸部をさける構造にできる。
３  ライト本体部分で内部に小型電池、スイッチ回路を付属させる。
４  ＬＥＤランプ。丸型でも良い。
５  ライトのスイッチ。
【手続補正３】
【補正対象書類名】図面
【補正対象項目名】全図
【補正方法】変更
【補正の内容】
【図１】
0003187398.tif 000009
【図２】
0003187398.tif 000010
【図３】
0003187398.tif 000011
【図４】
0003187398.tif 000012
【図５】
0003187398.tif 000013
【図６】
0003187398.tif 000014
【図７】
0003187398.tif 000015
【図８】
0003187398.tif 000016
【手続補正書】
【提出日】平成25年6月17日(2013.6.17)
【手続補正１】
【補正対象書類名】実用新案登録請求の範囲
【補正対象項目名】全文
【補正方法】変更
【補正の内容】
【実用新案登録請求の範囲】
【請求項１】
磁石をライトケースの一面に組み込んだＬＥＤライト。
【請求項２】
ライトと磁石間をフレキシブル体の構造としたことを特徴とする請求項１に記載のライト。
【請求項３】
ライトと磁石間をアーム構造とした請求項１に記載のライト。
【請求項４】
折りたたみや伸縮できる携帯電話機のような構造としたことを特徴とする請求項１に記載のライト。
【手続補正３】
【補正対象書類名】明細書
【補正対象項目名】０００１
【補正方法】変更
【補正の内容】
【０００１】  本考案は給油作業時の液面確認を容易にする技術である。
その基本考案だがそのまま各種の機器や特殊用途に応用できる。
【手続補正４】
【補正対象書類名】明細書
【補正対象項目名】０００８
【補正方法】変更
【補正の内容】
【０００８】  図１は、本考案装置の一例である。図１のようなライトを給油作業の前にスイッチを入れてから、灯油タンクの液面表示部分上の固定しやすい位置にセットしてから給油ポンプで給油する。タンクの上面あるいは横面に固定するのがよい。タンクへの給油が済んだら、磁石の固定を解除してスイッチを切り保管する。
【手続補正５】
【補正対象書類名】明細書
【補正対象項目名】０００９
【補正方法】変更
【補正の内容】
【０００９】  図２は、本考案装置の応用例でライト面が上下に動くようにできる、ライト面が伸縮回転できる構造にしてもよい。クリップをつけたり、変形できるアームの先につけたり、伸縮できる本体構造の先につけたり、折りたためる携帯電話のような構成にしても良いし、笠を出せるようにしてもよい。
【手続補正６】
【補正対象書類名】明細書
【補正対象項目名】００１０
【補正方法】変更
【補正の内容】
【００１０】  図３は、試作品のＬＥＤライトを灯油タンク液面表示部付近に固定してスイッチを入れ、点灯している時の図面である。この状態で灯油ポリタンクから灯油ポンプで給油するとタンクが灯油である程度満たされると液面表示部の色が変化するのでそろそろ満タンになる事が目視で確認できる。磁石は一方向性のシール磁石を使ったが２個なら単３電池２本でも固定できる。強力な平型磁石もあるので使用すれば厚みはなくなり磁石のある事がわからなくなるし、取り付けもソフトになる。リチウムボタン電池は薄型があり１個で３ボルトタイプなら電池２本分のスペースを小さくできる。
【手続補正７】
【補正対象書類名】明細書
【補正対象項目名】００１６
【補正方法】変更
【補正の内容】
【００１６】  クリップ式とはライトに付けたクリップ部分で挟んで固定する方法である。
アーム式とは重機ユンボのパケットのように変形できる構造の意味である。
ヘルメット式とはランプ発光部を丸いカバーで覆い横灯の効果を出す。
携帯電話式は構造的に横灯になっているが角度が変えられるタイプがある。
灯油タンクの上に乗せてもタンクの液面表示部を照らしてくれる。
しかし携帯電話機のライトはすぐ消灯するし壊れても困る。
ＬＥＤランプは小型で明るいので装備できればよいがスペースは余りない。
伸縮灰皿は市販されておりライトを組み込むスペースはあるが、Ｃ型やＳ型にしないと効果が十分にでない。
横灯とは一方向ライトと説明することがある。
フイルムタイプとは携帯の液晶ライトなどの意味である。
本考案は、灯油ストーブの灯油タンクへの給油作業を安全間単にするのが趣旨だが、産業界には様々な液面や場面があるのでクリップの底面に磁石を張り合わせて使える構造にすれば応用性は良いし、鉄製以外のタンク液面の照明も可能になる。小型で良いので手に持って小型ライトとして使う事もできる。折りたたみ携帯電話構造で磁石付なら、ライト面が保護でき、不使用時にライト面を内蔵保護できる。ただし携帯電話とは使用目的が異なるので、デザイン構造をタンクライト専用に製作する必要がある。折りたたみ携帯電話機のような機能はライト単体には必要がないので似たような専用ケースのライトなら必要に応じてマグネット面を鉄面に固定してからライト面を上下に変えて液面表示部を照らすことができるし小型可動ライトになる。家庭製品と違い鉄機械製品の種類は多いので灯油給油用から利用できるなら応用すればよい。全周照明タイプと笠ヘルメットタイプのスポット照明が考えられるが用途に合わせることになる。灯油タンクへの給油に限らず、文書や看板の照明などにも転用できる。車内照明の小型ライトとしても使える。ライト裏面を鏡面にするとか、小型デジタル時計を構成してもよい。不要な時はストーブに固定するとか、ライトにつけた軽い紐で灯油ポリタンクのキャップに掛けておけば、次回利用時に探す手間が省けるし、紛失して必要な時になくて困るようなミスを防止できる。
従来技術でよいものもあるが新型小型の強力磁石を配置しても良い。
車内灯やデスクパソコン灯にもなり、フルシーズンの利用が可能になる。
このＬＥＤライトは磁石なしでもその一方向特性を活かせる場合も多くある。
最近は各種の応用製品が出て驚かされる。
このＬＥＤライトを透明の超小型の防水防油構造で製作して、その電源やスイッチはケーブルを利用する構成が考えられる。防水防油の適度な透明ケース内にＬＥＤランプを組み込んでリモートケーブルを伸ばす。
ケーブルの先に電池やスイッチのコントロールボックスを付属させる。
灯油タンクの蓋をとり、このＬＥＤライトを灯油タンク内の液面表示窓の上までいれる。シールしたマグネットで給油口に固定しても良い。
コントロールボックスのライトスイッチを入りにするとライトは点灯する。
この状態で灯油ポンプをセットして給油すると、液面表示部が内部からの光で明るくなり液面が確認できる。給油後はタンク内からライトを引き上げる。
給油口から２センチ程度のタンク上面でも液面照明の効果はあるし、給油ポンプは深く入れるので液濡れは少ないが給油後は布で拭いて保管すればよい。
灯油で防油ＬＥＤなので静電気や点灯時電流で発火することはない。
商品としては透明ケースの構造やコントロールボックスには配慮がいるが、胃カメラのようにすれば産業界への応用が期待できる。小さなボックスにまとめればリモートケーブルは必要がない製品にできる。
灯油給油時の応用なら市販のポンプと組み合わせた機能商品がよい。
携帯電話機でもライト付きならごく稀にある必要時に点灯して使えるが、スペースに余裕がないので専用アクセサリーとして超小型ライトをペアで製作すれば、非常時などに固定すればライト付き携帯電話機としてそのまま使える。
携帯電話機は弱いレベルの一時的照明力を持っているが、機種が多く随時に新機種がでるがカメラ利用時のライトでは普通のライトのような利用が難しい。
ＬＥＤランプは３ボルトのボタン電池１個でも点灯できるランプがあるので、携帯電話機に内蔵の充電式電池からでも電子回路的に調整すれば点灯できる。
電池不要で、ＬＥＤランプとスイッチが最小構成になるので小型化できる。
ライト付きの携帯電話機は電池が負担になり以前はなかった。
ボタン電池内蔵の小型ＬＥＤライト付き携帯電話機も今は製作できる。ネオジム磁石で固定してもよい。携帯電話機の裏面などに一部鉄面を構成しておく方法もあるので各種の付属品開発が期待できる。
スマートホンの時代で必要ならアクセサリーとして買うようになった。
電子製品の携帯電話機と電気製品のＬＥＤライトなので論外かもしれない。
鏡につければ明るいし、飾りにつければアクセサリーになる。
ＴＶのリモコン送信機はリモコン信号を出すがＬＥＤライトは付属していない。
ＴＶやエアコンなどのリモコン送信機の電池電圧はほとんど３ボルトなので３ボルトタイプのＬＥＤランプがそのまま応用できる。
普段はリモコン送信機だが停電の時や暗い場所ではＬＥＤライトになる。
マグネットを付属したＬＥＤリモコン送信機で製作してもよい。
小型カメラやアラーム機構メモ機能なども付属できるし、全メーカー対応のリモコン送信機に順次付属させる方法もある。増設タイプも検討できる。
携帯電話機と同じだがスペースは十分あるので、ＬＥＤランプだけ内蔵したリモコン送信機として出荷して希望者はＳＤ型などの電池を別途購入してもよい。
あるいは付属品としてＬＥＤランプケースを別途購入してセットすればライト付きのリモコン送信機になる構成にしてもよい。スペースがあるなら他にもと考えるが、増設型の時計やラジオやタイマーなども検討でき、付属品ビジネスになる。スイッチには工夫が必要になる。
カーナビのリモコン送信機に組み込めば車内用の携帯ライトになる。
マグネット付きなら固定するのに楽で、変わった利用ができる。
設計図を少し変更すれば、通常のリモコン送信機を量産する費用より多少割高になるが，すぐ量産体制が構築できる。大きさ重さはほとんど変わらない両用送信機になり付属品が電気店などで販売できればよい。
空いているスペースにＬＥＤランプとスイッチを組み込むか、後から付属品としてセットできる応用機器を製作配線すればよい。
【手続補正８】
【補正対象書類名】明細書
【補正対象項目名】００１７
【補正方法】変更
【補正の内容】
【００１７】
【図１】  最も簡単な製作例である。ミニライトと磁石が一体なので、そのまま灯油タンクに固定できる。タンク上面に横に固定する。あるいはタンク横面にＬＥＤライト底面の磁石面を固定する。四角型のデザインだが周辺部に丸みを持たせても良い。
【図２】  図１の簡単な応用例である。フレキシブルな板２が上下に動くので状況に応じた使い方ができる。図面１の簡単な応用例になる。
【図３】  灯油タンクに直接固定できるタイプの試作品である。電線を内蔵した薄型タイプも試作できている。マグネットを平型磁石で製作する事もでき、安定性が良くなる。
【手続補正９】
【補正対象書類名】図面
【補正対象項目名】全図
【補正方法】変更
【補正の内容】
【図１】
0003187398.tif 000017
【図２】
0003187398.tif 000018
【図３】
0003187398.tif 000019
【手続補正書】
【提出日】平成25年9月12日(2013.9.12)
【手続補正１】
【補正対象書類名】明細書
【補正対象項目名】００１３
【補正方法】変更
【補正の内容】
【００１３】  図６は、灯油ポリタンクに鉄面を構成して考案のマグネットＬＥＤライトが固定できるようにした試作品例である。鉄面の構成方法には両面テープで薄い鉄板を固定する方法や面ファスナーで固定する方法がある。また飾り鏡の裏面に鉄面を構成しておき灯油給油時に鉄面を表にしてポリタンクのキャップに掛ければ鉄面が構成できる。着脱が容易なので給油が済んだら鏡として使える。
冬季はポリタンクに掛けて、鉄面にマグネット収納ボックスを固定すれば作業用の手袋などを収納しておくことができる。
【手続補正２】
【補正対象書類名】実用新案登録請求の範囲
【補正対象項目名】請求項４
【補正方法】変更
【補正の内容】
【請求項４】
折りたたみや伸縮できる構造としたことを特徴とする請求項１に記載のライト。